(57)【要約】      （修正有）【課題】特異な符号盗聴防止機能付きの電子シールストリップ構造を提供する。【解決手段】プラグピン１００と無線自動識別装置２００、プラグピン座３００及びアンテナ装置４００を備える。プラグピン１００は、挿入端を有する。無線自動識別装置２００は、プラグピンの中に設置され、それぞれ、異なる特異な符号を供給する少なくとも二つの特異な符号識別チップ２２０を有する。プラグピン座３００は、プラグピンの挿入端がプラグピン座に挿設されるためのソケットを有し、また、挿入端を係合するための係合装置を有し、プラグピンの挿入端がプラグピン座の中に挿入されると、上記らの特異な符号識別チップの少なくとも何れかの一つが、プラグピン座の中に位置する。アンテナ装置４００は、プラグピン座３００の中に設置され、プラグピンの挿入端が挿入されると、無線自動識別装置２００の特異な符号識別チップ２２０に電気的に接続され、特異な符号を送信する。【選択図】図２
0003171335.tif 000002
【実用新案登録請求の範囲】
【請求項１】
挿入端を有するプラグピンと、
上記プラグピンの中に設置され、それぞれ、異なる特異な符号を供給する少なくとも二つの特異な符号識別チップを有する無線自動識別装置と、
上記プラグピンの挿入端が挿入されるためのソケットを有し、また、上記挿入端を係合するための係合装置を備え、上記プラグピンの挿入端が挿入される場合、上記らの特異な符号識別チップの何れかの一つが、内部に位置するプラグピン座と、
上記プラグピン座の中に設置され、上記プラグピンの挿入端が挿入される場合、上記アンテナ装置が、上記無線自動識別装置の特異な符号識別チップに電気的に接続されて、上記らの特異な符号を送信するアンテナ装置と、が含有されることを特徴とする特異な符号盗聴防止機能付きの電子シールストリップ構造。
【請求項２】
上記プラグピンは、更に、
一端に、上記挿入端がある棒体と、
上記棒体のもう一端に位置し、断面が上記棒体の断面よりも大きい抵当端と、が含有されることを特徴とする請求項１に記載の特異な符号盗聴防止機能付きの電子シールストリップ構造。
【請求項３】
上記プラグピン座は、
内部に、中空空間が形成され、上記ソケットが、上記本体に設置される本体と、
上記ソケットに対応するように、上記本体の中空空間に設置される係合装置と、が備えられ、
上記ソケットは、上記プラグピンの挿入端を挿入することに供し、上記挿入端が、上記係合装置によって係合されて、上記プラグピンが、上記プラグピン座に結合されることを特徴とする請求項１に記載の特異な符号盗聴防止機能付きの電子シールストリップ構造。
【請求項４】
上記プラグピンは、更に、
上記挿入端の外周面に形成されたロック槽と、
上記ソケットに対応するように、両側に貫通する係止孔を有する係止座と、上記係止孔の内壁に嵌設され、上記プラグピンのロック槽に嵌入して、上記挿入端が、上記係合装置によって係合される弾性係止部材と、を有する上記係合装置とが備えられることを特徴とする請求項３に記載の特異な符号盗聴防止機能付きの電子シールストリップ構造。
【請求項５】
上記無線自動識別装置は、更に、
上記挿入端の開口に固定され、上記らの特異な符号識別チップが、それぞれ、電気的に接続される第一電気接続器と、
上記本体の中空空間に設置され、上記挿入端が、上記係止孔に進入すると、上記第一電気接続器が結合される第二電気接続器と、
少なくとも一つのアンテナが、上記本体の中空空間に設置され、上記第二電気接続器に電気的に接続され、上記第一電気接続器と上記第二電気接続器を介して、上記無線自動識別装置の上記特異な符号識別チップが電気的に接続される上記アンテナ装置とが備えられる、ことを特徴とする請求項３に記載の特異な符号盗聴防止機能付きの電子シールストリップ構造。
【考案の詳細な説明】
【技術分野】
【０００１】
本考案は、電子シールストリップに関し、特に、特異な符号盗聴防止機能付きの電子シールストリップ構造に関する。
【背景技術】
【０００２】
図１は、従来の電子シールストリップ900であり、コンテナのドアを封ずることができるが、破壊された状態で取り外すことができる。電子シールストリップ900は、プラグピン910やプラグピン座920、無線自動識別チップ930及びアンテナ装置940が備えられる。無線自動識別チップ930とアンテナ装置940は、それぞれ、プラグピン910やプラグピン座920に設置され、プラグピン910が、プラグピン座920に挿入されて係止された時、電気的に接続され、これにより、リーダ（RFIDリーダ）が、アンテナ装置940から、無線自動識別チップ930が励起されて発射した特異な符号が運搬された電波を、受信できる。
上記特異な符号により、電子シールストリップ900が交換されたかどうかを識別でき、コンテナが、運輸途中において、摩り替えられることや盗まれることがないことを確認できる。機械式シールストリップ（人の目で印番号や外観の完全性を検査することが必要とする）の代わりに、電子シールストリップ900が、よく利用され、そのため、大量のコンテナが、国と国との間での快速通関することに応じることができる。 
【０００３】
既存の各国の税関によって採用された電子シールストリップ900にある無線自動識別チップ930は、そのプロトコルやデータ形式が、公開の標準（ISO 18000-6C/EPC Class
1 Generation 2）に基づき、そのため、メーカーが、自己にマッチしたアセンブリを開発して各国の税関に応じることができる。
しかし、公開の標準のため、如何なる人々は、リーダで、無線自動識別チップ930の特異な符号を盗聴してから、同じ特異な符号を有する無線自動識別チップ930を複製し、他に、電子シールストリップ900を作ることができる。そうすると、運輸されたコンテナをオップンしても、簡単に偽造の電子シールストリップで元の電子シールストリップ900を取り替えることができ、コンテナが盗まれたことを察知できなく、最悪の場合、コンテナ全体を取り替える恐れもある。
そのため、如何に、電子シールストリップ900の特異な符号が盗聴されて、他の電子シールストリップ900が複製されることやコンテナ運輸時の安全性を向上すること、コンテナを運輸する時の識別性を向上するか、人事や時間の節約をするか、コンテナ運輸業者が無線自動識別技術を導入する時の至急課題である。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
従来の電子シールストリップは、特異な符号が盗聴されて偽造されるリスクについて、本考案は、特異な符号盗聴防止機能付きの電子シールストリップ構造を提案し、破壊されることや摩り替えされることなく、リーダ（RFIDリーダ）に合わせて特異な符号を検知して電子シールストリップの真偽を判断できる。
【課題を解決するための手段】
【０００６】
本考案に係る特異な符号盗聴防止機能付きの電子シールストリップ構造は、プラグピンと無線自動識別装置、プラグピン座及びアンテナ装置が備えられる。
【０００７】
プラグピンは、挿入端を有する。無線自動識別装置は、プラグピンの中に設置され、それぞれ、異なる特異な符号を供給する少なくとも二つの特異な符号識別チップを有する。プラグピン座は、ソケットを有し、プラグピンの挿入端が挿入されることに供され、また、プラグピン座は、挿入端を係合するための係合装置を有し、プラグピンの挿入端が、プラグピン座に挿入されると、上記らの特異な符号識別チップの少なくとも一つが、プラグピン座の中に位置する。アンテナ装置は、プラグピン座の中に設置され、プラグピンの挿入端が挿入されると、アンテナ装置が、無線自動識別装置の特異な符号識別チップに電気的に接続され、特異な符号を送信する。
【０００８】
特異な符号盗聴防止機能付きの電子シールストリップ構造は、少なくとも二つの特異な符号を有するため、故意に盗聴するものは、どちらかが主な特異な符号であることを分かり難いため、電子シールストリップを偽造する困難性が向上される。同時に、少なくとも一つの特異な符号識別チップは、有意にプラグピン座に隠され、プラグピン部分だけが破壊されても、元のプラグピン座は、その機能を維持でき、コンテナ通関時の識別度が向上される。
【０００９】
本考案は、複数の実施例を挙げて、プラグピンと無線自動識別装置を有する特異な符号盗聴防止機能付きの電子シールストリップ構造について詳しく説明する。
【００１０】
上記プラグピンは、挿入端と棒体、抵当端及びロック槽からなる。挿入端が、棒体の一端に位置し、抵当端が、棒体のもう一端に位置する。抵当端の断面は、上記棒体の断面よりも大きい。ロック槽は、上記挿入端の外周面に形成される。
【００１１】
無線自動識別装置は、プラグピンの中に設置される。また、無線自動識別装置は、それぞれ、異なる特異な符号を供給する少なくとも二つの特異な符号識別チップを有し、また、少なくともその何れかの一つの特異な符号識別チップが、挿入端の中に位置する。
【００１２】
特異な符号盗聴防止機能付きの電子シールストリップ構造は、少なくとも二つの特異な符号を有するため、盗聴するものは、主な真実特異な符号が分かりにくくなり、電子シールストリップを偽造する困難性が向上される。同時に、プラグピンの挿入端が、プラグピン座に挿入される時、少なくとも一つの特異な符号識別チップが、プラグピン座に隠されているため、プラグピン部分だけが破壊されても、元のプラグピン座が、その機能を維持でき、コンテナ通関時の識別度が向上される。
【００１３】
以下、図面を参照しながら、本考案の特徴や技術内容について、詳しく説明するが、それらの図面等は、参考や説明のためであり、本考案は、それによって制限されることが無い。
【図面の簡単な説明】
【００１４】
【図１】従来技術の電子シールストリップの断面概念図である。
【図２】本考案の実施例の特異な符号盗聴防止機能付きの電子シールストリップ構造の断面概念図である。
【図３】本考案の実施例のプラグピンの断面概念図である。
【図４】本考案の実施例のプラグピン座の断面概念図である。
【図５】本考案の実施例の特異な符号盗聴防止機能付きの電子シールストリップ構造の断面概念図である。
【図６】本考案の他の実施例のプラグピン座の断面概念図である。
【考案を実施するための形態】
【００１５】
図２は、本考案に係る特異な符号盗聴防止機能付きの電子シールストリップ構造1である。上記電子シールストリップ構造1は、プラグピン100と、無線自動識別装置200と、少なくとも二つの特異な符号識別チップ220と、プラグピン座300と、アンテナ装置400と、を有する。
【００１６】
図３を参照しながら、プラグピン100は、棒体110と挿入端120及び抵当端130を有する。挿入端120は、棒体110の一端に位置し、抵当端130は、棒体110のもう一端に位置する。
【００１７】
図３を参照しながら、抵当端130の断面が、棒体110の断面よりも大きく、挿入端120の前縁が、案内斜面121に形成され、また、プラグピン100に、更に、挿入端120の外周面に形成されたロック槽140がある。ロック槽140は、挿入端120の外周面を囲むような連続環状槽でもよく、局部に、挿入端120の外周面に形成される連続しない凹み構造でもよい。
【００１８】
図３を参照しながら、棒体110は、更に、収納空間111が形成され、挿入端120の上に、更に、上記収納空間111に連通する開口122が形成される。
【００１９】
図２と図３を参照しながら、無線自動識別装置200は、第一電気接続器210と少なくとも二つの特異な符号識別チップ220を有する。
【００２０】
電子シールストリップ構造1は、更に、緊密的に挿入端120の開口122に挿設される絶縁ブロック150を有し、上記絶縁ブロック150には、貫通孔が形成される。第一電気接続器210が、貫通孔に設置されて、挿入端120の開口122に固定され、また、第一電気接続器210が、プラグピン100に接触していない。
二つの特異な符号識別チップ220は、棒体110の収納空間111に設置され、それぞれ、第一電気接続器210に電気的に接続される。上記らの特異な符号識別チップ220は、それぞれ、異なる特異な符号を供給し、それを、リーダにより、読み取って特異な符号で識別することができる。特異な符号識別チップ220の一つの具体な実施形態は、RFIDチップを利用するが、それによって、制限されることない。また、少なくとも一つの特異な符号識別チップ220が、挿入端120の中に隠されている。
【００２１】
本考案の一つのより良い実施例によれば、無線自動識別装置200は、更に、第一回路板230を有し、二つの特異な符号識別チップ220が、第一回路板230に設置され、また、第一電気接続器210が、半田により、第一回路板230の縁に固定される。
【００２２】
本考案の一つのより良い実施例において、無線自動識別装置200は、更に、抵抗マッチング回路を有し、上記抵抗マッチング回路が、前記第一回路板230上にレイアウト(Layout)されてもよく、独自にリードによって接続されても良い。抵抗マッチング回路は、二つの特異な符号識別チップ220と第一電気接続器210とを接続し、二つの特異な符号識別チップ220から第一電気接続器210までの間の抵抗値を調整し、これにより、二つの特異な符号識別チップ220同士の間の抵抗値が、次のように調整される。
【００２３】
抵抗マッチング回路の一つの具体的な実施例は、二つのRC抵抗ユニットであり、各RC抵抗ユニットは、抵抗Rと容量Cを有する。また、容量Cは、特異な符号識別チップ220に並列に接続され、そして、抵抗Rを介して第一電気接続器210に電気的に接続される。前記抵抗マッチング回路は、ただ一つの例示で、それにより抵抗マッチング回路の実施形態が制限されることではない。
【００２４】
図２と図４を参照しながら、プラグピン座300は、本体310と係合装置320を有する。本体310は、内部に、中空空間311が形成され、また、プラグピン座300は、更に、上記本体310上に形成されて、上記中空空間311に連通するソケット312を備える。係合装置320は、ソケット312に対応して挿入端120を係合するように、本体310の中空空間311の中に設置される。
【００２５】
図５を参照しながら、ソケット312により、プラグピン100の挿入端120が、プラグピン座300の中に挿設され、挿入端120が、係合装置320によって係合されて、プラグピン100が、脱離しないように、プラグピン座300に結合される。プラグピン100の挿入端120が、プラグピン座300の中に挿入されると、特異な符号識別チップ220の少なくともその何れかの一つが、プラグピン座300の中に位置し、これにより、プラグピン100が切断されても、少なくとも一つの特異な符号識別チップ220が、プラグピン座300の中に残される。
【００２６】
図４のように、具体的な実施形態おいて、係合装置320は、係止座321と弾性係止部材322を有する。係止座321には、上記係止座321の両側に貫通する係止孔323があり、上記係止孔323が、本体310のソケット312に対応し、また、弾性係止部材322は、係止孔323の内壁に嵌設され、プラグピン100のロック槽140に嵌入されて、挿入端120が、係合装置320によって係合される。
【００２７】
図３と図４及び図５のように、プラグピン100の挿入端120が、ソケット312に挿入されると、挿入端120が、続いて係止孔323の奥へ進めることができる。また、案内斜面121は、挿入端120を案内して、順にソケット312と係止孔323に進入させることができる。挿入端120が、係止孔323に進入した後、弾性係止部材322が、プラグピン100のロック槽140に嵌入され、挿入端120が、係合装置320によって係合される。同時に、係止座321は、一般として、単一金属ブロックにタップ立てすることにより作成され、その耐剪断力が高いため、挿入端120が、係止孔323に固定されている時、特異な符号識別チップ220が、係止孔323の中に位置するようになり、係止座321によって保護されるから、特異な符号識別チップ220が破壊される確率が低減される。
【００２８】
図４と図５を参照しながら、アンテナ装置400は、プラグピン座300の中に設置され、プラグピン100の挿入端120が挿入される時、無線自動識別装置200の特異な符号識別チップ220に電気的に接続され、上記らの特異な符号を送信でき、上記らの特異な符号は、無線読み取り装置によって読み取られ、識別効果が実現される。上記のように、プラグピン100が、剪断された場合、プラグピン100の挿入端120が、依然として、係合装置によって係合された状態に維持し、そのため、少なくとも一つの特異な符号識別チップ220は、挿入端120とともに、プラグピン100の中に残され、これにより、アンテナ装置400を介して、特異な符号を供給する機能を有する。
【００２９】
図４を参照しながら、アンテナ装置400の具体的な実施例は、本体310の中空空間311の中に設置された第二電気接続器410と少なくとも一つのアンテナ420を有する。第二電気接続器410は、係止孔323に対応するように設置され、例えば、係止孔323に位置するか、係止孔323に通してソケット312に位置し、挿入端120が、係止孔323に進入した後、第一電気接続器210が、第二電気接続器410に結合され、前記第一電気接続器210と第二電気接続器410は、端子とソケットとの組み合わせであっても良い。
【００３０】
アンテナ420は、第二電気接続器410に電気的に接続され、第一電気接続器210と第二電気接続器410を介して、無線自動識別装置200の特異な符号識別チップ220に電気的に接続され、これにより、特異な符号識別チップ220による特異な符号が送信される。
【００３１】
図４のように、アンテナ装置400の具体的な実施例において、アンテナ装置400は、更に、負荷板430を有し、例えば、PCB板で、アンテナ420が、負荷板430の上に設置され、また、第二電気接続器410が、負荷板430の縁に設置されてアンテナ420に電気的に接続される。
【００３２】
図６のように、アンテナ420の数は、複数でもよく、また、すべてのアンテナが、無線自動識別装置200に電気的に接続されることが必要としなく、例えば、複数のアンテナのその一つのアンテナだけは、無線自動識別装置200に直接に電気的に接続され、他のアンテナは、上記アンテナにカップリングされ、これにより、アンテナの断面積が増大される。事実の実施形態は、図６のように、一点導入アンテナ421とカップリングアンテナ422の組み合わせを有し、一点導入アンテナ421が、第二電気接続器410に電気的に接続され、カップリングアンテナ422が、一点導入アンテナ421にカップリングされる。
【００３３】
以上のように、余所人が、読み取り装置で、特異な符号を盗聴する時、同時に二つの特異な符号を盗聴し、盗聴者が、二組の特異な符号について、どれが主か副な符号であるかに迷って、どれを使って本考案電子シールストリップ構造1を複製すればよいことを決定しにくくなる。
【００３４】
また、二組の特異な符号を同時に、電子シールストリップ構造1を識別することに利用しても良い。故意に設計した抵抗マッチング回路で、二つの特異な符号識別チップ220からアンテナ装置400までの抵抗マッチングを変化し、これにより、特異な符号識別チップ220が、主と副とに分けられ、読み取り装置にとって、強や弱の信号を読み取る状態になる。即ち、無線自動識別装置に含まれる少なくともプラグピン内の二組の抵抗マッチング値を調整すれば、少なくとも二つの特異な符号識別チップの信号強度の主副関係を変化できる。この主副の差異により、単純に特異な符号を盗聴しても容易に手入れできなく、そのため、本考案に係る電子シールストリップ構造1を偽造する困難性が一層向上される。また、二つの主副の特異な符号識別チップにも、交差的に安全情報や荷物情報を入力することができる。電子シールストリップが、すりかえられることがあるかどうかを確認することができ、そして、直接に、コンテナ或是保税トラックの荷物の内容を確認することができる。
【００３５】
そのため、本考案は、より進歩的かつより実用的で、法に従って実用新案登録請求を出願する。
【００３６】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００３７】
１        電子シールストリップ構造
１００    プラグピン
１１０    棒体
１１１    収納空間
１２０    挿入端
１２１    案内斜面
１２２    開口
１３０    抵当端
１４０    ロック槽
１５０    絶縁ブロック
２００    無線自動識別装置
２１０    第一電気接続器
２２０    特異な符号識別チップ
２３０    第一回路板
２４０    抵抗マッチング回路
３００    プラグピン座
３１０    本体
３１１    中空空間
３１２    ソケット
３２０    係合装置
３２１    係止座
３２２    弾性係止部材
３２３    係止孔
４００    アンテナ装置
４１０    第二電気接続器
４２０    アンテナ
４２１    一点導入アンテナ
４２２    カップリングアンテナ
４３０    負荷板
９００    電子シールストリップ
９１０    プラグピン
９２０    プラグピン座
９３０    無線自動識別チップ
９４０    アンテナ装置
Ｒ        抵抗
Ｃ        容量
【図１】
0003171335.tif 000003
【図２】
0003171335.tif 000004
【図３】
0003171335.tif 000005
【図４】
0003171335.tif 000006
【図５】
0003171335.tif 000007
【図６】
0003171335.tif 000008